(57)【要約】      （修正有）【課題】容易に薬の服用が可能になる薬剤服用補助容器を提案する。【解決手段】水を収容する本体容器２０、本体容器に着脱自在で本体容器との連通部４５Ａ，４５Ｂと、上面側に薬剤３０を収容可能な凹部４２が形成された中皿４０と、連通部と凹部４２に連通する飲み口５３を有し、中皿を覆って本体容器に着脱自在な蓋体５０を備え、凹部の飲み口側位置に対応する位置の第１連通部と、中皿の上面位置で第１連通部の側方位置に配設された第２連通部を有し、凹部に収容した薬剤を服用する際に、飲みを下方側にすべく本体容器を傾けて、本体容器の水を第１連通部および第２連通部から凹部に流入させ、流入した水と凹部に収容されていた薬剤とを混合させた状態で飲み口に供給することを特徴とする。【選択図】図１
2015181646.tif 000002
【特許請求の範囲】
【請求項１】
コップ状をなし、水が収容可能な本体容器と、
該本体容器の開口部を覆って本体容器に着脱自在に設けられ、前記本体容器との連通部と、上面側に薬剤を収容可能な凹部とが形成された中皿と、
前記連通部と前記凹部に連通する筒状体に形成された飲み口が設けられ、前記中皿を覆って前記本体容器に着脱自在な蓋体と、を具備し、
前記連通部は、前記凹部の前記飲み口側位置に対応する位置に配設された第１連通部と、前記中皿の上面位置において前記第１連通部の側方となる位置に配設された第２連通部と、を有し、
前記凹部に収容した前記薬剤を服用する際に、前記飲み口が下方側となるように前記本体容器を傾けることで、前記本体容器内の水が前記第１連通部および前記第２連通部から前記凹部に流入し、流入した水と前記凹部に収容されていた前記薬剤とが混合された状態で前記飲み口に供給されることを特徴とする薬剤服用補助容器。
【請求項２】
前記第２連通部は、前記第１連通部の側方両端部分のそれぞれに対して配設されていることを特徴とする請求項１記載の薬剤服用補助容器。
【請求項３】
前記本体容器の前記開口部側における内周壁面には周方向の一部に欠損部を有する段差部が周設されていて、
前記中皿は、前記第１連通部の位置を前記欠損部の位置に位置合わせした状態で前記段差部に載置されていることを特徴とする請求項１または２記載の薬剤服用補助容器。
【請求項４】
前記開口部における前記本体容器の側壁には、前記蓋体の側壁部と前記中皿の側壁部がそれぞれ密着した状態で嵌合していることを特徴とする請求項３記載の薬剤服用補助容器。
【請求項５】
前記中皿の上面には突部が立設されていて、
前記蓋体には前記突部の配設位置に位置合わせした嵌合用凹部が形成されていることを特徴とする請求項１〜４のうちのいずれか一項に記載の薬剤服用補助容器。
【請求項６】
前記本体容器の開口部には切欠部が形成されていて、
前記中皿には前記切欠部を装着ガイドとする、嵌合部を有する舌片が形成され、
前記蓋体には前記舌片の嵌合部と嵌合可能に形成された嵌合体を有する組立用舌片が形成されていることを特徴とする請求項１〜５のうちのいずれか一項に記載の薬剤服用補助容器。
【請求項７】
前記本体容器の外周壁面に着脱自在な把持部をさらに有し、
前記把持部は、
前記本体容器の外周壁面に形成された係止片に係止可能な係止部が所要間隔をあけて複数配設された装着リング部を有していることを特徴とする請求項１〜６のうちのいずれか一項に記載の薬剤服用補助容器。
【請求項８】
前記把持部は、前記装着リング部に立設された複数本の取手を有していることを特徴とする請求項７記載の薬剤服用補助容器。
【発明の詳細な説明】
【技術分野】
【０００１】
本発明は容易に薬剤を服用することを可能にするために用いられる薬剤服用補助容器に関する。
【背景技術】
【０００２】
お年寄りや子供は薬剤を服用することが困難な場合が多い。このようなお年寄りや子供であっても容易に薬剤を服用することができるように、水を収容したコップの内側面に薬剤を収容するフィルター壁を設けた錠剤服用コップが特許文献１において提案されている。特許文献１に開示されている薬剤服用コップによれば、コップで水を飲むと同時に錠剤が口の中に入ってくるため、お年寄りや子供であっても容易に錠剤を服用することができる。
【先行技術文献】
【特許文献】
【０００３】
【特許文献１】特開２００４−１４８０７８号公報
【特許文献２】特許第４７７６５８９号公報
【発明の概要】
【発明が解決しようとする課題】
【０００４】
しかしながら、お年寄りや子供は、錠剤の服用はもちろんのこと、いわゆる粉薬の服用も困難であることが多い。また、寝たきりの状態の人もたくさん薬を服用しなければならないことが多く、寝たままの状態でも薬を容易に服用することができることが強く望まれている。このような課題を解決すするため、出願人は特許文献２に開示されている特許発明を提案した。
【０００５】
本発明は、特許文献２に開示されている薬剤服用補助容器をさらに改良し、老人や子供であっても粉薬を一層容易に服用することができ、しかも寝たきりの人であっても容易に薬の服用が可能になる薬剤服用補助容器を提案することを目的としている。
【課題を解決するための手段】
【０００６】
すなわち本発明は、コップ状をなし、水が収容可能な本体容器と、該本体容器の開口部を覆って本体容器に着脱自在に設けられ、前記本体容器との連通部と、上面側に薬剤を収容可能な凹部とが形成された中皿と、前記連通部と前記凹部に連通する筒状体に形成された飲み口が設けられ、前記中皿を覆って前記本体容器に着脱自在な蓋体と、を具備し、前記連通部は、前記凹部の前記飲み口側位置に対応する位置に配設された第１連通部と、前記中皿の上面位置において前記第１連通部の側方となる位置に配設された第２連通部と、を有し、前記凹部に収容した前記薬剤を服用する際に、前記飲み口が下方側となるように前記本体容器を傾けることで、前記本体容器内の水が前記第１連通部および前記第２連通部から前記凹部に流入し、流入した水と前記凹部に収容されていた前記薬剤とが混合された状態で前記飲み口に供給されることを特徴とする薬剤服用補助容器である。
【０００７】
この構成を採用することにより、中皿に収容した薬剤と本体容器に収容した水とを確実に混合させた状態で飲み口に送り出すことができ、薬剤の形態に関わらず薬剤の服用を楽に行うことができる。
【０００８】
また、前記第２連通部は、前記第１連通部の側方両端部分のそれぞれに対して配設されていることが好ましい。
【０００９】
この構成を採用することにより、飲み口に送り出す薬剤と水の混合度をさらに高めることができるため、薬剤の服用がさらに容易になる。
【００１０】
また、前記本体容器の前記開口部側における内周壁面には周方向の一部に欠損部を有する段差部が周設されていて、前記中皿は、前記第１連通部の位置を前記欠損部の位置に位置合わせした状態で前記段差部に載置されていることが好ましい。
【００１１】
この構成を採用することにより、本体容器に対する中皿の装着を容易に行うことができる。薬剤服用補助容器の使用者にはお年寄りや子供が多いため、お年寄りや子供であっても直感的に薬剤服用補助容器の組み立て方法を理解することができる。
【００１２】
また、前記開口部における前記本体容器の側壁には、前記蓋体の側壁部と前記中皿の側壁部がそれぞれ密着した状態で嵌合していることが好ましい。
【００１３】
この構成を採用することにより、寝たままの状態の人が薬剤服用補助容器を使用する場合のように、本体容器を本体容器の起立状態に対して大きく傾けた状態で使用したとしても、本体容器内の水が不用意に漏れてしまうことがない。
【００１４】
また、前記中皿の上面には突部が立設されていて、前記蓋体には前記突部の配設位置に位置合わせした嵌合用凹部が形成されていることが好ましい。
【００１５】
この構成を採用することにより、本願発明にかかる薬剤服用補助容器の使用者が高齢者や子供であっても、本体部、中皿、蓋体を一体に組み立てる方法を直感的に理解することができる。また、突部と嵌合用凹部との組み合わせにより常に適切な状態に組み立てをすることができるので、使用者は本願薬剤服用補助容器の作用効果を確実に享受することができる。
【００１６】
また、前記本体容器の開口部には切欠部が形成されていて、前記中皿には前記切欠部を装着ガイドとする、嵌合部を有する舌片が形成され、前記蓋体には前記舌片の嵌合部と嵌合可能に形成された嵌合体を有する組立用舌片が形成されていることが好ましい。
【００１７】
この構成によれば、本願発明にかかる薬剤服用補助容器の使用者が高齢者や子供であっても、本体部、中皿、蓋体を一体に組み立てる方法を直感的に理解することができ、常に適切な状態に組み立てをすることができるので、使用者は本願薬剤服用補助容器の作用効果を確実に享受することができる。
【００１８】
また、前記本体容器の外周壁面に着脱自在な把持部をさらに有し、前記把持部は、前記本体容器の外周壁面に形成された係止片に係止可能な係止部が所要間隔をあけて複数配設された装着リング部を有していることが好ましい。
【００１９】
この構成を採用することにより、使用者が高齢者や子供の場合、本体容器をしっかりと保持することができ、本体容器に対する把持部の取り付け位置が調整可能であるから、飲み口の位置調整を容易に行うことができ、薬剤服用補助容器を用いた薬剤の服用動作が楽な姿勢で行うことができると共に、薬剤服用補助容器の落下防止にもなる。
【００２０】
また、前記把持部は、前記装着リング部に立設された複数本の取手を有していることが好ましい。
【００２１】
この構成を採用することにより、使用者が被介護者である場合には、介護者が薬剤服用補助容器の操作を補助する際の使い勝手を向上させることができる。
【発明の効果】
【００２２】
本発明による薬剤服用補助容器によれば、薬剤の種類（形態）を問わず薬剤と白湯などを混合させた状態で飲み口部分に供給することができるため、飲み物を飲む感覚で薬剤を服用することができる。このようにすることで老人や子供であっても薬剤を容易に服用することができる。また、寝たままの状態であっても薬を容易に服用することができるため、介護が必要な人が薬を服用する際に有効であることはもちろんのこと、介護者の負担を大幅に軽減させることが可能になる。
【図面の簡単な説明】
【００２３】
【図１】第１実施形態における薬剤服用補助容器の組み立て説明図である。
【図２】中皿単体の斜視図である。
【図３】本体容器に中皿を組み付けた状態を示す斜視図である。
【図４】第１実施形態における薬剤服用補助容器の斜視図である。
【図５】把持部の斜視図である。
【図６】薬剤服用補助容器に把持部を装着している状態を示す説明図である。
【図７】把持部を装着した状態の（第２実施形態における）薬剤服用補助容器の斜視図である。
【発明を実施するための形態】
【００２４】
（第１実施形態）
以下、添付図面に基づいて本発明の実施形態を詳細に説明する。図１は、第１実施形態における薬剤服用補助容器の組み立て説明図である。図２は、中皿単体の斜視図である。図３は、本体容器に中皿を組み付けた状態を示す斜視図である。図４は、第１実施形態における薬剤服用補助容器の斜視図である。
【００２５】
本実施形態における薬剤服用補助容器１０は、図１に示すようにコップ状に形成された本体容器２０と、薬剤３０を収容する中皿４０と、本体容器２０および中皿４０を覆うようにして配設された蓋体５０とを有している。中皿４０と蓋体５０は、それぞれ本体容器２０に着脱自在である。
【００２６】
図１に示すように、本体容器２０は、開口部側における所要高さ範囲が拡径部２１に形成されている。この拡径部２１は本体容器２０の開口部に沿って立設されているが、開口部の全周にわたっては立設されておらず、開口部の周方向における一部区間には切欠部２２が形成されている。拡径部２１と本体容器２０の側壁２４との境界部分には互いの径寸法の差による段差部２５が形成されている。この段差部２５は本体容器２０の側壁２４の内周壁面に沿って周設されているが、側壁２４の内周壁面の全周には形成されておらず、内周壁面の周方向の一部区間には欠損部２６が形成された状態になっている。図１からも明らかなように、切欠部２２と欠損部２６は本体容器２０を平面視した際に互いに向かい合う平面位置となるように配設されている。
【００２７】
本体容器２０には、服用すべき薬剤３０を収容するための中皿４０が装着される。中皿４０は中皿４０の下面を本体容器２０の段差部２５に載置させるようにして本体容器２０に取り付けられ、本体容器２０の開口部をほぼ閉塞させた状態にしている。中皿４０の上面には平面視形状が略丸底フラスコ状をなす凹部４２が形成されている。凹部４２は、幅広部分４２Ａが深く凹んでおり、傾斜面に形成された幅狭部分４２Ｂによって幅広部分４２Ａの内底面が中皿４０の上面に接続されている。
【００２８】
凹部４２の外周部分には仕切壁４３が立設されている。また、凹部４２の幅狭部分４２Ｂの終端部分（本体容器２０の開口部の内周縁近接位置）には、本体容器２０の内部空間と外部空間とを連通させるための第１連通部４４が配設されている。ここでは、凹部４２の幅方向に延設されたスリット状の２本の長孔４４Ａ，４４Ｂによって第１連通部４４が構成されている。
【００２９】
また、中皿４０の上面（閉塞面）には、仕切壁４３の外方側となる部分であると共に、第１連通部４４を構成する長孔４４Ａ，４４Ｂの側方両端位置よりも側方となる位置（外方側となる位置）に、中皿４０の上面から下面に貫通する第２連通部４５が配設されている。本実施形態の第２連通部４５は、２つの円形孔４５Ａ，４５Ｂにより構成されている。中皿４０を平面視した際には、第２連通部４５を構成する２つの円形孔４５Ａ，４５Ｂの間に第１連通部４４の長孔４４Ａ，４４Ｂが配設された状態になっている。また、仕切壁４３の終端部位置は第１連通部４４の中間位置（すなわち、２本の長孔４４Ａ，４４Ｂの中間位置）となるように形成されている。
【００３０】
また、中皿４０の上面には、太径部４６Ａと太径部４６Ａの上端面に立設された細径部４６Ｂとからなる突部４６が立設している。図３からも明らかなように、細径部４６Ｂの上端部は球面状に形成されている。突部４６の高さ寸法は、同じく中皿４０の上面に立設された仕切壁４３の高さ寸法よりも十分高くなるように形成されている。
【００３１】
さらに、中皿４０の側壁部４７には、中皿４０を平面視した際に、第１連通部４４と向かい合う位置に側壁部４７から起立する舌片４８が配設されている。舌片４８は本体容器２０の切欠部２２と同じ幅寸法に形成されていて、切欠部２２を装着ガイドとして切欠部２２の上下方向に舌片４８が進退可能である。舌片４８の上面には嵌合部４９が配設されている。
【００３２】
このように形成された中皿４０の上面には、中皿４０および本体容器２０に着脱可能な蓋体５０が取り付けられる。蓋体５０は、開口部５１を有する本体部５２と、本体部５２の上面に立設された筒状体の飲み口５３と、舌片４８の嵌合部４９に嵌合可能な嵌合体としての嵌合孔５６が形成された組立用舌片５４を有する側壁部５７と、を備えている。側壁部５７は本体部５２と一体形成されている。
また、図１において本体部５２に破線によって表されている部分は、中皿４０の突部４６に嵌合可能な嵌合用凹部５５である。この嵌合用凹部５５は本体部５２の下面に形成されている。
【００３３】
蓋体５０の開口部５１は、蓋体５０を中皿４０に組み立てたままの状態で中皿４０の凹部４２に服用すべき薬剤３０を投入するためのものであると共に、服用すべき薬剤３０を確認したうえで服用するための確認窓としての機能も有している。開口部５１の平面位置は、薬剤３０の当初収容位置である幅広部分４２Ａの平面位置と同一平面位置に位置合わせした状態で形成されている。薬剤服用補助容器１０を使用する直前に、蓋体５０を本体容器２０に取り付けして使用する場合には、この開口部５１は配設を省略することができるが、凹部４２に収容されている薬剤３０を確認することができるように、蓋体５０は、少なくとも凹部４２の上側部分が透明であることが好ましい。
【００３４】
図１および図４に示すように、蓋体５０の本体部５２に立設された筒状体をなす飲み口５３は、平面視形状が唇の内側の輪郭に倣った形状に形成されている。このような外形形状に形成された飲み口５３を採用することにより、使用者が飲み口５３をくわえた際に、使用者は特に意識することのない状態で飲み口５３をくわえるだけで、使用者の唇と飲み口５３とが密着させた状態にすることができる。これにより、薬剤３０と水が飲み口５３と唇との隙間から漏れてしまうといったことがなく、お年寄りや子供であっても確実に薬剤３０を服用することができる。
【００３５】
本実施形態における薬剤服用補助容器１０の使い方について説明する。上述のとおり、本実施形態における薬剤服用補助容器１０は、本体容器２０、中皿４０、蓋体５０に分割可能になっている。薬剤服用補助容器１０を使用する際には、水を収容した本体容器２０の拡径部２１における切欠部２２の平面位置に中皿４０の舌片４８の平面位置を位置合わせした状態で切欠部２２を装着ガイドとして装着し、中皿４０の側壁部４７の底面を本体容器２０の段差部２５に載置する。段差部２５の幅寸法と中皿４０の側壁部４７の壁厚寸法は等しく、拡径部２１の内径寸法と側壁部４７の外径寸法は等しいので、本体容器２０と中皿４０は密着した状態で嵌合していて、中皿４０により本体容器２０の上面開口部は第１連通部４４および第２連通部４５の連通部分を除いて覆った状態にすることができる。
【００３６】
続いて中皿４０の舌片４８に設けられた嵌合部４９の平面位置に対して、蓋体５０の組立用舌片５４の嵌合孔５６の平面位置を位置合わせし、切欠部２２を装着ガイドとし、組み立て用舌片５４を切欠部２２に進入させて舌片４８の嵌合部４９に嵌合孔５６を凹凸嵌合させることにより、中皿４０に蓋体５０を組み立てることができる。蓋体５０の側壁部５７の内径寸法は本体容器２０の拡径部２１の外径寸法と等しく形成されているので、蓋体５０を中皿４０に取り付けすることにより、中皿４０の側壁部４７と蓋体５０の側壁部５７は、互いに本体容器２０の拡径部２１に密着状態で嵌合することになり、本体容器２０内の水の漏れを好適に防止することができる。
【００３７】
また、蓋体５０の上面における中皿４０側の面には突部４６に対して嵌合可能な嵌合用凹部５５が配設されているので、中皿４０と蓋体５０は、突部４６と嵌合用凹部５５においても嵌合状態で組み立てられることになる。このように中皿４０と蓋体５０は合計３箇所において嵌合しているので、薬剤服用補助容器１０の使用中に蓋体５０が脱落してしまうおそれはない。また、本体容器２０と中皿４０に蓋体５０を組み付けした状態において、中皿４０に形成されている仕切壁４３の上端面が蓋体５０の本体部５２の下面に当接させるようにすれば、第２連通部４５から凹部４２への水の直接進入を防止することができるため好都合である。
【００３８】
使用者は、このようにして組み立てられた薬剤服用補助容器１０に対して、蓋体５０に形成された開口部５１から服用すべき薬剤３０を中皿４０の凹部４２に投入すると共に、飲み口５３をくわえて本体容器２０に収容した水を飲むようにして本体容器２０を傾ければよい。飲み口５３の開口部は本体容器２０の内部に連通している第１連通部４４と第２連通部４５にそれぞれ連通しているので、凹部４２から薬剤３０が飲み口５３に到達する際には、第１連通部４４および第２連通部４５から凹部４２に流入した本体容器２０内の水と薬剤３０とを確実に混合させた状態にすることができる。
【００３９】
具体的には、第１連通部４４においては、凹部４２の幅広部分４２Ａから幅狭部分４２Ｂに誘導された薬剤３０に対し、長孔４４Ａから薬剤３０の進行方向に沿って本体容器２０内の水を流入させて、幅狭部分４２Ｂで薬剤３０と水の混合体を構成している。さらにこの混合体に対しては、混合体の流下方向に対する両脇位置に設けられた第２連通部４５から流入した水とさらに混合されることになる。
【００４０】
第２連通部４５から幅狭部分４２Ｂに流下する水は、薬剤３０と水の混合体の流下方向に対して左右方向から同量の水を流下させていることに加え、仕切壁４３の終端部分（すなわち、長孔４４Ｂの位置）で幅狭部分４２Ｂの長孔４４Ｂの位置において混合体に追加の水を合流させているので、薬剤３０と水の混合体の流下方向を変えることなく二次混合をすることができる。この二次混合は、第２連通部４５から流入する水と第１連通部４４の長孔４４Ｂから流入する水によって混合されるため、薬剤３０と水の混合度合いをきわめて高いものにすることができる。このようにして混合度の高い薬剤３０と水の混合体が飲み口５３に供給され、飲み口５３をくわえた使用者は、吸い口付きコップに収容された水を飲む感覚で薬剤３０を服用することができるのである。
【００４１】
このように本実施形態にかかる薬剤服用補助容器１０を用いることにより、使用者は従来技術における薬剤服用補助容器（図示せず）に比較して大幅に薬剤３０と水の混合度を高めた状態で服用することができる、特に服用すべき薬剤３０が粉薬である場合における薬剤３０の服用のし易さを飛躍的に高めることができる点で好都合である。
【００４２】
（第２実施形態）
次に図５〜図７を参照しながら第２実施形態にかかる薬剤服用補助容器について説明を行う。なお、第1実施形態にかかる薬剤服用補助容器１０と共通する部分については、第1実施形態で使用した符号と同一の符号を付すことにより、ここでの詳細な説明を省略している。
【００４３】
本実施形態においては、薬剤服用補助容器１０の本体容器２０に装着して用いる把持部６０を有している点が特徴である。本実施形態における把持部６０は、図５に示すように、装着リング部６１と装着リング部６１に一体に形成された取手６２からなっている。装着リング部６１の内周面には周方向に沿って所要間隔をあけて複数の係止部６３が形成されている。把持部６０は、図６に示すように、本体容器２０の底部側から上部側に向って（図６内の矢印Ａに示す向き）装着リング部６１を本体容器２０に装着させ、本体容器２０の側壁２４の外周壁面に形成された係止片２８に係止部６３を係止させればよい。図７は本体容器２０に把持部６０を装着した状態を示す斜視図である。
【００４４】
装着リング部６１の周方向において所要間隔をあけて複数の係止部６３を設けていることで、使用者の好みや運動機能の状態に応じて飲み口５３と取手６２の位置状態を適切な状態にすることができる。また、被介護者が薬剤３０を服用する際において、介護者が図７に示す薬剤服用補助容器１０の取手６２Ａ，６２Ｂのいずれか一方を持って補助を行う際においても使い勝手が良好である。
【００４５】
本実施形態における取手６２は、図５〜図７に示すように、大きさおよび形状が異なる２つの取手６２Ａ，６２Ｂを有している。このように大きさおよび形状が異なる複数の取手６２Ａ，６２Ｂを備えた取手６２とすることにより、使用者の好みや運動機能の状態に応じて適切な取手６２Ａまたは取手６２Ｂを選択して使用することができるため、薬剤服用補助容器１０を誤って落下させてしまうといったことがなく、確実に薬剤３０を服用することができる点において好適である。
【００４６】
以上に、本願発明にかかる薬剤服用補助容器１０について詳細に説明したが、本願発明の技術的範囲は以上の実施形態に限定されるものではなく、特許請求の範囲に記載された範囲内での構成変更をすることができる。例えば、以上の実施形態においては、第２連通部４５としての２つの円形孔４５Ａ，４５Ｂを配設した形態について説明しているが、第２連通部４５として、円形孔４５Ａまたは４５Ｂのいずれか一方のみを配設した形態にすることもできる。
【００４７】
また、中皿４０の舌片４８と蓋体５０の組立用舌片５４との嵌合構造は、嵌合部４９と嵌合する嵌合体として、嵌合孔５６の組み合わせを採用しているが、互いに嵌合することができればよく、嵌合部４９と嵌合体の嵌合構造の組み合わせは、他の公知の嵌合構造を採用することもできる。
【００４８】
さらに第２実施形態に示すように、把持部６０の取手６２は装着リング部６１と一体形成され、装着リング部６１から立設する２本の取手６２Ａ，６２Ｂを有する構成例について示しているが、取手６２は一本であってもよいし、３本以上形成することも可能である。
【００４９】
また、以上の実施形態においては薬剤３０が錠剤である使用形態に基づいて説明したが、薬剤３０の形態は錠剤に限定されるものではなく、粉薬やカプセルはもちろんのこと液薬であってもよい。
そして、以上に説明した実施形態および変形例を適宜組み合わせた構成を採用することも可能である。
【符号の説明】
【００５０】
１０  薬剤服用補助容器
２０  本体容器，２１  拡径部，２２  切欠部，２４  側壁，２５  段差部，
２６  欠損部，２８  係止片，
３０  薬剤，
４０  中皿，４２  凹部，４２Ａ  幅広部分，４２Ｂ  幅狭部分，４３  仕切壁，
４４  第１連通部，４４Ａ，４４Ｂ  長孔，４５  第２連通部，
４５Ａ，４５Ｂ  円形孔，４６  突部，４６Ａ  太径部，４６Ｂ  細径部，
４７  側壁部，４８  舌片，４９  嵌合部，
５０  蓋体，５１  開口部，５２  本体部，５３  飲み口，５４  組立用舌片，
５５  嵌合用凹部，５６  嵌合孔，５７  側壁部
６０  把持部，６１  装着リング部，６２，６２Ａ，６２Ｂ  取手，６３  係止部
【図１】
2015181646.tif 000003
【図２】
2015181646.tif 000004
【図３】
2015181646.tif 000005
【図４】
2015181646.tif 000006
【図５】
2015181646.tif 000007
【図６】
2015181646.tif 000008
【図７】
2015181646.tif 000009